(57)【要約】シロアリ制御システムキット。数ステップのプロセスは先ず２から４インチのＰＶＣチューブ（１００）のような一端に取り外しのできるキャップ（１０２）を有するチューブを取り上げ、巻いたカードボード（１１０）のような食物源を中の部屋に詰めることから始まる。ついでチューブ（１００）の開放端をシロアリの集団（１５９）に隣接して配置し、生きたシロアリがチューブの入り口／出口に入り、食物源（１１０）に到達するようにする。一旦シロアリがチューブの内部入ると、キャップ（１０２）はチューブから取り除かれ、遅効性の非忌避性毒物で処理された土壌および／または砂のディスクのような非可食性飼料マトリックス（４０４）を部屋の中の食物源（１１０）と部屋のシロアリの入り口／出口（１０６）の間に配置する。遅効性の非忌避性毒物はフィプロニル、クロルフェナピル、イミダクロプリドおよびクロルピリフォスの非即効性致死量とすることができる。ついでシロアリは通過が強いられ、シロアリを殺すために、シロアリのトンネルと生活空間を通して土壌の粒子または他の非可食性飼料マトリックス上に遅効性の非忌避性毒物（４０４）を撒き散らす。処理された非可食性飼料マトリックス粒子（４０４）で汚染されたトンネルや生活空間に接触するシロアリは長期に亘って死亡する。
2004500043.tif 000002
【特許請求の範囲】
【請求項１】
シロアリを殺し、建築物を保護する方法であって、
（ａ）シロアリの入り口と出口の開口と閉じた端を有する部屋の中に、毒性のない食物源を提供するステップと
（ｂ）該部屋への該入り口と出口をシロアリに隣接して配置し、シロアリが入り、毒性のない食物源を食べることを可能にするステップと
（ｃ）飼料マトリックスが、毒性のない食物源とシロアリの入り口と出口の間にあるように、部屋へのシロアリの入り口と出口の開口の中に、遅効性の非忌避性毒物で処理した非可食性飼料マトリックスを提供するステップと
（ｄ）遅効性の非忌避性毒物が、長時間に亘ってコロニーの中のシロアリを殺し、建築物を保護する部屋への入り口と出口から、シロアリが出ることを可能にするステップとを含むシロアリを殺し、建築物を保護する方法
【請求項２】
請求項１のシロアリを殺し、建築物を保護する方法であって、該部屋が、１つのＰＶＣ管を含む方法
【請求項３】
請求項１のシロアリを殺し、建築物を保護する方法であって、該配置するステップが部屋へのシロアリの入り口と出口の通路を地面に押すことを含む方法
【請求項４】
請求項１のシロアリを殺し、建築物を保護する方法であって、該非可食性飼料マトリックスが少なくとも土壌、砂またはその混合物の一つから選ばれる方法
【請求項５】
請求項４のシロアリを殺し、建築物を保護する方法であって、該非可食性飼料マトリックスが１つのディスクを含む方法
【請求項６】
請求項５のシロアリを殺し、建築物を保護する方法であって、該非可食性飼料マトリックスのディスクが非可食性飼料マトリックスを含むバッグを含み、且つ該バッグが少なくとも１つの紙およびセルローズ材料から選ばれる方法
【請求項７】
請求項１のシロアリを殺し、建築物を保護する方法であって、該遅効性の非忌避性毒物が塩素化ニコチン誘導体および有機燐酸、ピロールおよびその混合物からなる群から選ばれる方法
【請求項８】
請求項１のシロアリを殺し、建築物を保護する方法であって、該遅効性の非忌避性毒物がフィプロニル、クロールフェナピル、イミダクロプリド、クロルピリフォスおよびその混合物からなる群から選ばれる方法
【請求項９】
請求項１のシロアリを殺し、建築物を保護する方法であって、該遅効性の非忌避性毒物が約１．２５ｐｐｍから約１２５ｐｐｍのフィプロニルを含む方法
【請求項１０】
請求項１のシロアリを殺し、建築物を保護する方法であって、該遅効性の非忌避性毒物が約２．５ｐｐｍから約２５０ｐｐｍのクロールフェナピルを含む方法
【請求項１１】
請求項１のシロアリを殺し、建築物を保護する方法であって、該遅効性の非忌避性毒物が約０．５ｐｐｍから約５０ｐｐｍのイミダクロプリドを含む方法
【請求項１２】
請求項１のシロアリを殺し、建築物を保護する方法であって、該遅効性の非忌避性毒物が約０．５ｐｐｍから約５０ｐｐｍのクロルピリフォスを含む方法
【請求項１３】
請求項１のシロアリを殺し、建築物を保護する方法であって、該シロアリが地下シロアリを含む方法
【請求項１４】
請求項１のシロアリを殺し、建築物を保護する方法であって、該毒性のない餌が木材、紙、カードボード、セルローズを基材とする材料およびその混合物の少なくとも１つから選ばれる方法
【請求項１５】
シロアリを殺し、建築物を保護する器具であって、
シロアリの入り口と出口の通路と閉じた端を有する部屋と
部屋へのシロアリの入り口と出口の通路を通してシロアリを部屋へ誘う部屋内の毒性のない食物源と
遅効性の非忌避性毒物を有する非可食性飼料マトリックスであって、該マトリックスが後に部屋へのシロアリの入り口と出口の通路とシロアリが中にいる食物源間に挿入され、シロアリが強制的にそこを通り、遅効性の非忌避性毒物をシロアリのトンネルと生活空間に撒き散らすようにして長時間に亘ってシロアリを殺し、建築物を保護する非可食性飼料 マトリックスとの組み合わせを備えた器具
【請求項１６】
請求項１２のシロアリを殺し、建築物を保護する器具であって、該部屋が取り外し可能なキャップのあるＰＶＣチューブを含む器具
【請求項１７】
請求項１５のシロアリを殺し、建築物を保護する器具であって、該非可食性飼料 マトリックスが少なくとも土壌、砂およびその混合物の１つのディスクを含む器具
【請求項１８】
請求項１７のシロアリを殺し、建築物を保護する器具であって、該非可食性飼料 マトリックスが、該非可食性飼料 マトリックスを囲むバッグを含む器具
【請求項１９】
請求項１５のシロアリを殺し、建築物を保護する器具であって、該遅効性の非忌避性毒物が塩素化ニコチン誘導体、有機燐酸、ピロールおよびその混合物からなる群から選ばれる器具
【請求項２０】
請求項１５のシロアリを殺し、建築物を保護する器具であって、該遅効性の非忌避性毒物が フィプロニル、クロールフェナピル、イミダクロプリド、クロルピリフォスおよびその混合物からなる群から選ばれる器具
【請求項２１】
請求項１５のシロアリを殺し、建築物を保護する器具であって、該遅効性の非忌避性毒物が約１．２５ｐｐｍから約１２５ｐｐｍのフィプロニルを含む器具
【請求項２２】
請求項１５のシロアリを殺し、建築物を保護する器具であって、該遅効性の非忌避性毒物が約２．５ｐｐｍから約２５０ｐｐｍのクロールフェナピルを含む器具
【請求項２３】
請求項１５のシロアリを殺し、建築物を保護する器具であって、該遅効性の非忌避性毒物が約０．５ｐｐｍから約５０ｐｐｍのイミダクロプリドを含む器具
【請求項２４】
請求項１５のシロアリを殺し、建築物を保護する器具であって、該遅効性の非忌避性毒物が約０．５ｐｐｍから約５０ｐｐｍのクロルピリフォスを含む器具
【請求項２５】
シロアリに毒物を撒き散らさせる組成物であって、
非可食性飼料 マトリックス
該マトリックスと混合されマトリックス 毒物混合物を形成する遅効性の非忌避性毒物および
該マトリックス 毒物混合物を含む外側カバーであって、該外カバーがシロアリの該マトリックス 毒物混合物へのアクセスを可能にする外側カバーを含む組成物
【請求項２６】
請求項２５の組成物であって、該毒物が塩素化ニコチン誘導体、有機燐酸、ピロールおよびその混合物からなる群から選ばれる組成物
【請求項２７】
請求項２５の組成物であって、該毒物がフィプロニル、クロールフェナピル、イミダクロプリド、クロルピリフォスおよびその混合物からなる群から選ばれる組成物。
【請求項２８】
請求項２５の組成物であって、該マトリックスが 土壌、砂およびその混合物からなる群から選ばれる組成物
【発明の詳細な説明】
【０００１】
（発明の属する技術分野）
本発明はシロアリの制御に関し、より具体的にはシロアリを部屋の中に誘うための毒性のない食物源を使用し、その後遅効性の非忌避性の毒物で処理した非可食性飼料マトリックスをその部屋のシロアリの入り口と出口に挿入し、シロアリがその毒物を彼らのコロニーのガレリーと生活域に持ち帰らせるための器具と方法に関する。本発明は１９９９年１０月１３日に出願したＵｎｉｔｅｄ　Ｓｔａｔｅｓ　Ｐｒｏｖｉｓｉｏｎａｌ　Ｐａｔｅｎｔ　Ａｐｐｌｉｃａｔｉｏｎ　６０／１５９，２６６の優先権を主張する。
【０００２】
（従来の技術）
ペストコントロールにとって重要な２種類の地下シロアリがあるが、その１つは典型的に地中に巣を作り、通常ある種の地中での連絡を維持する地下シロアリであり、他の１つは木片中に一対として始まり、地中で連絡をとらない乾燥木シロアリである。地下シロアリは最も危害を及ぼすシロアリで、通常周囲の土壌から建物に侵入する。地下シロアリの制御には複数の方法がある。例えば、地下シロアリ制御の最も普通の方法は、シロアリが地中から建築物へ侵入するのを防ぐために、建築物の下の土壌をシロアリのバリアー（１軒の家あたり殺シロアリ剤数百ガロン）で処理する必要がある。１９５０年から１９８８年までは塩素化炭化水素が地下シロアリ制御のためのバリアー処理の主な方法であった；しかしこれらの化学処理についての環境上の関心から、地中に３５年間も残存した塩素化炭化水素が減少する結果となった。バリアー処理の塩素化炭化水素に置きかわった化学物質は、建築物に対する広範囲のシロアリの被害を招く重大な失敗を犯した。建築家が例えば木やカードボードのような可食性の建材のかなりの量を下の土壌中に捨てていることが知られているが、これが建築物への誘導路として働き、かなりの食物源を提供し、建築物中でのシロアリの横行の確率を増加することから、バリアー処理の問題が形成される。建築物の下で毒性の殺虫剤の地下の運搬を促進するためのいくつかのシステムが提案されている。例えばＢａｓｉｌｅの米国特許第３，９４０，８７５号およびＰｅａｃｏｃｋの米国特許第４，６２５，４７４号である。しかし、これらのシステムは、毒物を入れたコンテナーを通してシロアリに噛ませるか、あるいは建築中にパイプシステムを設置し、追加の殺シロアリ剤を建造後に間隔を置いてスラブの下でポンプ注入することによって、単に最初の殺シロアリ剤バリアーを補給する試みに関係するものである。さらにＢａｓｉｌｅの特許はＥＰＡがシロアリの処理に使用を禁止している毒物（ディエルディン）を使用し、且つパイプシステムは設置後よく詰まり、使用できないようになる。
【０００３】
他の周知の地下シロアリ処理は、シロアリが毒性のない食物源を含むモニターの中へ餌をあさることを要する餌技術を含む。シロアリが一旦毒性のない食物源にはびこると、毒物（毒性のある餌）を加えた食物源がモニターの中に入れ替わる。シロアリはモニターに補充を続け、毒性のある餌を食べ続ける。毒性のある餌の摂取とトロファラクシス（他のシロアリを飼養すること）によって多数のシロアリが死ぬ。例えばＴｈｏｒｎｅ等の米国特許第５，３２９，７２６号； Ｇｏｒｄｏｎ等の米国特許第５，８９９，０１８号； Ｎｉｍｏｃｋｓの米国特許第５，９５０，３５６号を参照のこと。しかし、これらの技術は一般的にシロアリが毒性のある餌を摂取することを前提としている。シロアリは大抵の毒物の摂取を拒絶する。したがってこの技術は現在世界で知られているたかだか２―３の毒物に有用であるに過ぎない。シロアリはまた黴を含んだり、湿気の多い餌の食物源の摂取を拒む。これらの餌技術はシロアリにトンネルを通過させ、毒物で処理された粒子をガレリーおよびコロニーの生活空間に運ぶ（彼等を汚染する）ために土壌のような非可食性飼料マトリックス（本発明中に記載されている）を使用しない。忌避性ピエスロイドを除いて、非可食性飼料マトリックスに使用される大抵の毒物はシロアリに拾いあげられ、彼等のトンネルシステムの他の領域に運ばれる。
【０００４】
他のシステムが提案されているが、上の引用特許に記載された方法および応用の問題は未だ克服されていない。例えばＫｏｂａｙａｓｈｉ等の米国特許はシロアリに魅力的な物質で処理した膜が必要で（シロアリの生まれつきの探索および摂餌挙動のために、干渉されずに餌あさりが許される時には遠くから食物に惹かれることはない）、その結果シロアリが膜を通して噛む時に毒性のある表面に接触する；
【０００５】
Ｗｅｆｌｅｒの米国特許第５，５０１，０３３号はイエロージャケットのような害虫に液体の毒性のある物質を運搬するが、シロアリには殆ど役に立たない。Ｍｙｌｅｓの米国特許第５，６０，８７９号はシロアリの土壌からの収穫に、殺虫性エポキシ上に吸収し、それを土壌に戻すという労力が要る。Ｈｅｎｄｅｒｓｏｎ等の米国特許第５，７７８，５９６号はシロアリが摂取するように毒性のある食物を運ぶ用具である。Ｈｉｒｏｓｅの米国特許第５，９２１，０１８号はシロアリがフォローする飼料誘導路を提供し、それによってシロアリが用具に入り、捕獲され殺される。
【０００６】
忌避性液体、非忌避性液体および餌を使用する従来の技術にはさらに問題がある。忌避性液体を使用する時には液体のバリアーは完全に連続した仕方で施用する必要がある。特にピレスロイド類のような忌避性殺シロアリ剤の場合、もしも処理にギャップがあるとシロアリは餌をあさり、処理のギャップを見つけ建築物を荒らす確率を高める。
【０００７】
非忌避性液体処理ではシロアリは自分達が処理された領域にいることを検出できず（従って非忌避性である）、死亡する。このクラスの液体殺シロアリ剤は新しく、特に太陽や風雨に曝された時にどれくらい長く地中に残るかの疑問があることが大きな欠点である。本発明では、飼料マトリックスを太陽や風雨から保護し、有用性を延長し、飼料マトリックスは必要に応じて取り替えてそのシステムに再度使用できる。
【０００８】
液体の殺シロアリ剤バリアーの適用には、家の下にポンプで供給される数百ガロンの殺虫剤が必要で、時には家具や水を供給する井戸の汚染を引き起こす。大多数の家の所有者は侵入性と崩壊性がより少ない適用を望んでいる。
【０００９】
餌にはシロアリが気に入る食物源が必要である。適切な食物源を選択することは難しい。木材は組成が一定していないので製造業者はそれを毒物と一緒に使用することを好まない。紙の食物源は十分堅く詰められていなければシロアリによって空にされ、多数のシロアリを殺すのに十分な量の毒物を運ばない。大抵のセルローズ材料は地中に置かれると腐る。食べ物が一旦悪くなるとシロアリは食べず、餌の効果はなくなる。本発明は遅効性非忌避性毒物で処理した非可食性飼料マトリックスを使用する。シロアリはそれを通り抜ける時に処理されたマトリックスの粒子を口に入れ、シロアリはそれを食べる必要がなく、それを他のシロアリに与えるので多くの毒物が作用する。粒子はコロニーに戻され、彼等のトンネルに取り込まれる。粒子に接触するシロアリはマトリックス上の毒物に接触後数日で死亡する。シロアリの挙動は、処理された飼料マトリックスを用具の部屋の出口と入り口から動かし、彼等のコロニーやトンネルを汚染する。
【００１０】
（発明が解決しようとする課題）
本発明の第一の目的は長期に亘ってシロアリを殺し、建築物を保護するための方法とシステムを提供することである。
【００１１】
本発明の第二の目的はシロアリを誘う毒性のない可食性の食物源を使用してシロアリを破壊し、シロアリがコロニーに戻る時に遅効性の非忌避性の毒物で処理された非可食性粒子を通りぬけさせ、それによってシロアリがその粒子でガレリーや生活空間を汚染する方法とシステムを提供することである。
【００１２】
本発明の第三の目的は土壌の粒子、砂の粒子、その混合物または他の非可食性飼料マトリックスを、シロアリのトンネル、ガレリーおよび生活空間を通過する他のシロアリに毒物を撒き散らす方法として使用することである。
【００１３】
（課題を解決するための手段）
シロアリを殺し、建築物を保護する方法の好ましい実施の形態は次ぎのステップを含む：木材、紙、カードボード、セルローズベースの物質等の毒性のない食物源をシロアリの入り口と出口の通路と閉じた端を有する部屋の中に挿入するステップ、部屋への入り口と出口をシロアリに隣接して配置し、シロアリが入り、毒性のない食物源を食べるようにするステップと、飼料マトリックスが毒性のない食物源とシロアリの入り口と出口の通路の間置くために、遅効性の非忌避性毒物で処理した非可食性飼料マトリックスを部屋へのシロアリの入り口と出口に挿入するステップおよびシロアリが部屋への入り口と出口から出ることを可能にし、遅効性の非忌避性毒物が長時間に亘ってコロニーの中のシロアリを殺し、建築物を保護するステップ。
【００１４】
その部屋は、シロアリを含む試験場所に配置する毒性のない食物源と毒物を含むディスクの形状をした餌を入れるのに適した管状材料、例えばキャップのついたＰＶＣ管または類似物であってもよい。ユーザーは最初に地下シロアリを含む試験場所に部屋へのシロアリの入り口と出口を挿入することができる。そのキャップは取り外しが可能でその部屋は常時使用できる。
【００１５】
非可食性飼料マトリックスは土壌、砂、その組み合わせおよび類似物から選ぶことができる。非可食性飼料マトリックスはシロアリが非可食性飼料マトリックスに近づくことを可能にする紙、セルローズ材料または他の材料でできたバッグを含むことができるディスクの形状に形成できる。
【００１６】
使用に適した毒物は地下シロアリを制御するための遅効性の非忌避性毒物である。これには、例えばフィプロニルやイミダクロプリドのような塩素化ニコチン誘導体、クロルピリフォスのような有機燐酸、クロールフェナピルのようなピロールが含まれる。遅効性の非忌避性毒物の好ましい実施形態は約１．２５ｐｐｍから約１２．５ｐｐｍのフィプロニルを含むことができる。遅効性の非忌避性毒物はまた約２．５ｐｐｍから約２５ｐｐｍのクロールフェナピルを含むことができる。遅効性の非忌避性毒物はまた約０．５ｐｐｍから約５０ｐｐｍのイミダクロプリドを含むことができる。遅効性の非忌避性毒物はまた約０．５ｐｐｍから約５０ｐｐｍのクロルピリフォスまたはシロアリに忌避性でない他の毒物を含むことができる。
【００１７】
本発明のさらなる目的と利点は、現在の好ましい実施形態についての次ぎの詳細な記述から明らかで、これを添付の図面で模式的に説明する。
【００１８】
（発明の実施の形態）
本発明について開示した実施の形態を詳細に説明するに先立って、本発明は他の実施形態が可能であるので、その用途は示された特別な配置の具体例に限定されないことを理解すべきである。また、ここで使用する用語は記述の目的のために使用し、限定する目的で使用するものではない。
【００１９】
本発明は最近フロリダ州ガイネスビルのＵＳＤＡ−ＡＲＳ　Ｃｅｎｔｅｒ ｆｏｒＭｅｄｉｃａｌ，　Ａｇｒｉｃｕｌｔｕｒａｌ， ａｎｄ　Ｖｅｔｅｒｉｎａｒｙ　Ｅｎｔｏｍｏｌｏｇｙで試験された。
【００２０】
２組の実験のデータを示す。第一の実験では、合計３０００匹のシロアリがすべて３回の繰り返しで使用された（２９７０匹の働きアリと３０匹の兵隊アリ）。第二の実験では合計６回の繰り返しに対し、４回の繰り返しで３０００匹のシロアリが使用され、２回の繰り返しで１４００匹（１３８６匹の働きアリと１４匹の兵隊アリ）が使用された。合計３０００匹のシロアリを使用した場合、繰り返しを終了するのに不十分であったために、２つのコロニーのシロアリの数はより少なかった。シロアリ（Ｒｅｔｉｃｕｌｉｔｅｒｍｅｓ　ｆｌａｖｉｐｅｓ（Ｋｏｌｌａｒ））は残骸から隔てられたフィールドコロニーからフィールドで集められ、それぞれの実験ブロックの試験場所に導入されるまでの１４日を超えない期間、ＵＳＤＡ（米国農務省）の研究所で保管された。それぞれの繰り返しに対して、異なったコロニーからのシロアリを使用した。
【００２１】
試験場所はガラスの底（長さ４５ｃｍ、幅３０ｃｍ、高さ０．６ｃｍ）に、オハイオ州エイボンのＭａｎｃｏ　Ｉｎｃ．のＣｒｙｓｔａｌ　Ｃｌｅａｒで製造された透明の包装テープでくくられたＰｌｅｘｉｇｌａｓの側面（長さ４５ｃｍ、幅３０ｃｍ、高さ５．５ｃｍ）で構成された。Ｐｌｅｘｉｇｌａｓの側面はメチレンクロライドを含んだ断片を繋いで組み立てられた。Ｐｌｅｘｉｇｌａｓの側面がガラスの底にくくられる前に、メチレンクロライドによって生じる揮発物が除去されたことを保証するために、オーブン中で４０±２℃で２４時間焼成した。
【００２２】
フロリダ州ガイネスビルのＯ‘　Ｓｔｅｅｎ　Ｂｒｏｓ．， Ｉｎｃ　Ｕｎｉｆｉｅｄ　Ｃｌａｓｓｉｆｉｃａｔｉｏｎ　ＳＰからの建築業者用砂を金属プラントで６０±２℃で２４時間オーブン乾燥した。その砂を米国Ｆｉｓｈｅｒ　Ｓｃｉｅｎｔｉｆｉｃ　Ｃｏ．製の約０．０２７８インチの穴の篩（篩番号２５）を使用して篩分けた。篩は残骸の大きな断片を取り除くために使用した。２５００グラム（±１ ｇ）の砂を試験場所の中に注ぎ、２５０　ｍｌの２回ろ過した脱イオン水と完全に混合した。これによって砂の水分含量が１０％になった。砂を突き固め、水平にした。
【００２３】
水分を含ませた建築業者用砂の上に３つのモニターステーションを配置した。モニターは水分を含ませ、ＴＮのＢｒｏｗｎｓｖｉｌｌｅのＬａｓｃｏで製造された内径が約７ｃｍ、高さが約７．３ｃｍの白色のＰＶＣカプラーの中につき重ねた波形カードボード（１００ｃｍｘ６．５ｃｍ）の１巻でつくられた。
【００２４】
毒物で処理され試験に使用した非可食性飼料マトリックスは、中央フロリダの通常の砂のローム質の天然土壌であるローム質で石英質の砂のパレウダルツ土壌であった。この天然土壌を最初１５０±２℃で２４時間オーブン乾燥し、ついで冷却し、その後有機質残骸の大きな断片を取り除くために篩い分けた。毒物で処理した後、処理した非可食性飼料マトリックスをシロアリの活動が起きた後にモニターに挿入するためにディスクに形成した。明るい蜂蜜色であった建築業者用砂と、暗褐色であった本来の非可食性飼料マトリックスの間の色の相違は、ディスクからトンネルの中までの処理した土壌粒子をシロアリが移動させた部分を見るのに十分であった。
【００２５】
実験の２つの組で、シロアリ処理化学品の新しい選択量を使用して３つの異なった非可食性飼料マトリックス処理の適用を調製した。第一と第二の実験の違いは使用した割合であった。第一の実験では、一番目の適用はカンサス州カンサス市のＢａｙｅｒ　Ｃｏｒｐ．のＰｒｅｍｉｓｅと言うイミダクロプリド５０ｐｐｍで処理された非可食性飼料マトリックスのサンプルであった。二番目の適用はニュージャージー州プリンストンのアメリカンシアナミドのＰｈａｎｔｏｍｔと言うクロルフェナピル２５０ｐｐｍで処理された非可食性飼料マトリックスのサンプルであった。三番目の適用はノースカロライナ州リサーチトライアングルのローヌプーランのＴｅｒｍｉｄｏｒと言うフィプロニル１２５ｐｐｍで処理された非可食性飼料マトリックスのサンプルであった。
【００２６】
二番目の実験では、一番目の適用はカンサス州カンサス市のＢａｙｅｒ　Ｃｏｒｐ．のＰｒｅｍｉｓｅと言うイミダクロプリド０．５および５０ｐｐｍで処理された非可食性飼料マトリックスのサンプルであった。２番目の適用はニュージャージー州プリンストンのアメリカンシアナミドのＰｈａｎｔｏｍと言うクロルフェナピル２．５および２５ｐｐｍで処理された非可食性飼料マトリックスのサンプルであった。３番目の適用はノースカロライナ州リサーチトライアングルのローヌプーランのＴｅｒｍｉｄｏｒと言うフィプロニル１．２５および１２．５ｐｐｍで処理された非可食性飼料マトリックスのサンプルであった。使用した割合は一番目の実験で使用した割合に比べ約１０倍および１００倍少なく、殺虫剤の表示に掲載されまたは提案された割合に比べ１０から１００倍少ないことに注目することが重要である。従ってこの実験で使用された割合は化学品が意図する目的、すなわち建築物の周りに完全に化学バリアーを創ることによって直ちにシロアリを殺すために使用されたものではない。
【００２７】
２つの実験で、対照はろ過し、脱イオンした水で処理された。処理された非可食性飼料マトリックスは７日間空気乾燥し、使用するまで密閉したプラスチックバッグ内に貯蔵した。
【００２８】
処理された非可食性飼料マトリックスのディスクは１００グラム（±　５ｇ）の処理された非可食性飼料マトリックスを１０　ｍｌのろ過した脱イオン水で完全に湿らせて調製した。モニターはニュージャージー州ベルナルドビルのソメルセット紙タオルで製造された紙タオル（２８ｃｍ　ｘ　２２．５ｃｍ）の二重層で裏打ちされた。非可食性飼料マトリックスは紙タオルで裏打ちされたＰＶＣカプラーの中に詰められ、これから直径約７ｃｍ高さ約２ｃｍの寸法の非可食性飼料マトリックスディスクが作られた。余分の紙タオルは巻き、ゴムバンドで印をつけ、シロアリがそれをくぐり抜けてしまうまで周囲の領域を汚染しないようにした。
【００２９】
シロアリを試験場所の中で７日間餌あさりさせた後、カードボードロールを取り除き、シロアリを分離し、生きているシロアリを数え、それぞれの荒らされたモニターからシロアリのサンプルを取った。処理された非可食性飼料マトリックスのディスクは殆どのシロアリを含むモニターのベースに導入された。処理された非可食性飼料マトリックスのディスクはモニターの底に置き、水分を含んだ新しいカードボードロール（１００ｃｍ　ｘ　４ｃｍ）を最上部に置いた。非可食性飼料マトリックスのディスクが建築業者用砂に接触するようにＰＶＣカプリングユニットを置いた。シロアリは、新しいカードボードロールを備えたそれぞれのモニターにシロアリをモニターの最上部にゆっくりと注いで戻された。３つのモニターのそれぞれから回収されたシロアリを８週間にわたり毎週記録した。すべてのモニターから回収したシロアリの総数を計算し、それぞれの処理群と対照群について平均値と標準誤差を計算し、８週間に亘って毎週報告した。
【００３０】
２つの実験はそれぞれの殺シロアリ剤のコロニーにブロックする無作為化した完全ブロックとしてデザインされた。一番目の実験では、処理は総計１２の実験単位に対して１つの濃度で３回繰り返えされる対照と３つの殺シロアリ剤を含んだ。二番目の実験では、処理は総計４８の実験単位に対して２つの濃度で６回繰り返えされる対照と３つの殺シロアリ剤を含んだ。シロアリの生存率に対する処理の効果はＡＮＯＶＡとＴｕｋｅｙのＨＳＤ（ＳＡＳ　Ｉｎｓｔｉｔｕｔｅ　１９９６）で解析され、これを組み合わせて使用することにより、われわれの条件下でシロアリを殺すのにどの処理が有意に他と異なるかが示される。
【００３１】
一番目の実験で、無処理試験場所のシロアリ数は、３つのモニターの１つのベースに挿入された処理された飼料マトリックスのディスクのある試験場所でのシロアリ数よりも一貫して高かった。１２５ｐｐｍのフィプロニルと２５０ｐｐｍのクロルフェナプリルはどちらも設置７週までに試験場所のすべてのシロアリを殺し、５０ｐｐｍのイミダクロプリドはモニター中で５４匹のシロアリを殺しただけであった（表１参照）。処理された非可食性飼料マトリックスはシロアリのトンネルと生活領域を汚染してディスクからガレリーに移動していたことが認められた。飼料トレイ中の砂からのシロアリは回収も計数もされなかった。
【００３２】
表１　５０ｐｐｍのイミダクロプリド、１２５ｐｐｍのフィプロニル、および２５０ｐｐｍのクロルフェナピルを含む飼料マトリックスで処理された試験場所内のモニター中のシロアリの数。未処理の飼料マトリックスのディスクは水で処理された。
2004500043.tif 000003
【００３３】
二番目の実験で、試験場所中のシロアリの生存をモニター中でシロアリの活動が検出されない時に数えた。シロアリの活動が停止する時期はフィプロニルでは５週、クロルフェナプリルとイミダクロプリドでは８週であった（表２）。クロルフェナプリルでは無処理の試験場所での生存が２０．９２％であるのに対して、２５ｐｐｍの飼料マトリックスでは０．１６％、２．５ｐｐｍの飼料マトリックスでは９．３３％であった。従ってクロルフェナプリルは２５ｐｐｍで実質的に全部のシロアリを殺した。フィプロニルでは、無処理の試験場所の生存率が３９％であるのに比べて、１２．５と１．２５ｐｐｍの飼料マトリックスに対して、生存率は０．３から０．５％であった。従ってフィプロニルは１２．５と１．２５ｐｐｍで実質的に全部のシロアリを殺した。イミダクロプリドでは無処理の試験場所の生存率が２３％であるのに比べて、０．５と５．０ｐｐｍの飼料マトリックスに対して、生存率は１７％であった。これはイミダクロプリドでは実験をより長く続けることができたことあるいは毒物のより高い用量を使用できたことを示している。すべての例で、非可食性飼料マトリックス粒子に接触する度に、処理された飼料マトリックスはディスクから移動され、シロアリのトンネルと生活空間にシロアリを殺しつつ取り込まれた。
表２．クロルフェナピルまたはイミダクロプリドで処理された飼料マトリックスディスクのある実験試験場所における８週間後のシロアリの平均生存とフィプロニルで処理された飼料マトリックスディスクのある試験場所における５週間後のシロアリの平均生存。未処理の飼料マトリックスのディスクは水で処理された。
2004500043.tif 000004
１；同じ文字が後続する平均値は有意差がない。
【００３４】
図１は新しい処理器具と方法を試験する実験の設定を示す。試験場所 ４００の底は建築業者用砂 ４０１でカバーされている。シロアリは開放部屋４０２中の試験場所に放たれる。シロアリの数をモニターするための３つのモニター４０３がある（カードボードを含むＰＶＣチューブ）。シロアリが安定した後、モニターの１つを選び処理された飼料マトリックをモニターチューブの入り口と出口で受ける。
【００３５】
図２は処理された非可食性飼料マトリックディスク４０４を有するモニター（取り外しの可能なキャップ１０２と巻かれたカードボード食物源１１０を有するＰＶＣチューブ１００）の分解図である。キャップをつけたチューブ１００はシロアリの出入り口としての開放端１０６を有する。
【００３６】
図３はシロアリを誘うために使用された可食性の毒性のない食物源を有するモニターを使用する第一のステップを示す。図３を参照してＰＶＣチューブ１００は取り外し可能なキャップ１０２と開放端１０６を有する。可食性の毒性のない食物源１１０（カードボード）はチューブ１００の開放端１０６に挿入される。チューブ１００の開放端１０６はついでシロアリのコロニー１５０に通じるトンネル１５５に隣接して地面に挿入され、シロアリ１５９は食物源１１０を食べるためにチューブの開放端１０６を通るように方向づけられる。
【００３７】
図４は遅効性の非忌避性毒物で処理された非可食性飼料マトリックスを部屋の内部で活発なシロアリが横行する食物源と部屋の唯一の出口の間に挿入する第二のステップを示す。図４を参照して、遅効性の非忌避性毒物で処理された非可食性飼料マトリックス４０４のディスクのような非可食性飼料マトリックスが、シロアリ１１１がその中で横行する食物源１１０と地中のシロアリのコロニー１５０と食物源１１０を結ぶシロアリトンネル１５５のある地面１４０の間のチューブ１００の開放端１０６に挿入される。
【００３８】
図５はシロアリを非可食性飼料マトリックスディスク４０４を通りぬけさせ、処理された非可食性飼料マトリックスを移動し、遅効性の非忌避性毒物で彼等のトンネル１５６とコロニー２５０を汚染する第三のステップを示す。食物源１１０から戻るシロアリは、非可食性飼料マトリックスディスクを通り抜けるように強いられる。シロアリは土壌に戻る時に非可食性飼料マトリックスの汚染された粒子を取り除く。汚染されたシロアリ２５９は、処理された非可食性飼料マトリックスをトンネル１５６に取り込み、コロニーの残りを汚染する。非可食性飼料マトリックス粒子中の遅効性毒物は、シロアリがトンネル１５６とコロニー２５０の中でそれと接触した後、長期に亘ってシロアリ２５９を殺し破壊する。
【００３９】
非可食性飼料マトリックスは各種の材料、例えば薄いプラスチックフィルム（即ちサランラップＲ）および類似品で包むことができるが、これに限られることはない。
【００４０】
好ましい実施の形態はＰＶＣのチューブ部屋に言及しているが、部屋は円筒状、正方形、長方形および類似形のような種々の形態をとることができるが、これに限られるものではない。
【００４１】
好ましい実施の形態では、地下シロアリを殺すために地中に配置する用具としての使用が記載されているが、類似の用具を建築物内の木材の上に配置し、家の中に潜り込み、家の中で木材を食べる地下シロアリを殺すことが可能である。
【００４２】
本発明はビルディング、壁、および類似物のような人造建築物および木および類似物のような天然建築物のようなセルローズを含むあらゆる型の建築物を保護するために使用できるが、これらに限られるものではない。
【００４３】
本発明について、実施が想定される一定の実施形態またはその変形の各種条件で記載し、開示し、説明し、示したが本発明の範囲はそれによって限定されることを意図するものではなく、また限定されるとみなされるべきものではない。そのような他の変形または実施形態は、この中の教示から示唆されるように、特に添付した請求項の幅と範囲内にある限り特別に留保される。
【図面の簡単な説明】
【図１】図１は新しい処理器具と方法を試験する実験の設定を示す。
【図２】図２は毒性のない食物源と部屋からのシロアリの出口の間に配置された処理された非可食性飼料マトリックディスクを含む単一のモニターの分解図である。
【図３】図３はシロアリを誘うために使用された可食性の毒性のない食物源を有する部屋を使用する第一のステップを示す。
【図４】図４は遅効性で非忌避性毒物で処理された非可食性飼料マトリックスを部屋の内部で活発なシロアリが横行する食物源と部屋の唯一の出口の間に挿入する第二のステップを示す。
【図５】図５は飼料マトリックスを通りぬけ、遅効性の非忌避性毒物で彼等のトンネルとコロニーを汚染するシロアリの第三のステップを示す。
【図１】
2004500043.tif 000005
【図２】
2004500043.tif 000006
【図３】
2004500043.tif 000007
【図４】
2004500043.tif 000008
【図５】
2004500043.tif 000009
【国際公開パンフレット】
2004500043.tif 000010
2004500043.tif 000011
2004500043.tif 000012
2004500043.tif 000013
2004500043.tif 000014
2004500043.tif 000015
2004500043.tif 000016
2004500043.tif 000017
2004500043.tif 000018
2004500043.tif 000019
2004500043.tif 000020
2004500043.tif 000021
2004500043.tif 000022
2004500043.tif 000023
2004500043.tif 000024
2004500043.tif 000025
2004500043.tif 000026
2004500043.tif 000027
2004500043.tif 000028
2004500043.tif 000029
2004500043.tif 000030
2004500043.tif 000031
2004500043.tif 000032
2004500043.tif 000033
2004500043.tif 000034
2004500043.tif 000035
2004500043.tif 000036
2004500043.tif 000037
【国際調査報告】
2004500043.tif 000038
2004500043.tif 000039